(57)【要約】多様なユーザインタフェースと機能をユーザに提供することができ、かつ、操作子に表示される文字やマークの変更を低コストに実現することが可能な携帯型電子機器を提供する。  ユーザインタフェースユニットは、情報処理ユニットに装着される筐体と、筐体に取り付けられた押しボタンとを有し、押しボタンは、画像提示領域を有する。情報処理ユニットは、押しボタンの操作を検出するタッチパネルと、表示部と、情報処理部とを有する。情報処理部は、押しボタンの画像提示領域と対向した表示部の表示領域にマークなどの画像を表示させる。【特許請求の範囲】
【請求項１】
携帯型電子機器は、
ユーザインタフェースと、
情報処理ユニットとを有し、
前記ユーザインタフェースユニットは、
筐体と、
前記筐体の一面に配置され、画像提示領域を有する操作子とを有し、
前記情報処理ユニットは、
前記操作子の操作を検出するセンサと、
前記ユーザインタフェースユニットが装着された状態において、前記筐体の該一面の裏側に設けられた表示部と、
前記センサにより検出された前記操作子の操作に応じた処理と、前記画像提示領域を介して前記筐体の外部から視認できるように前記画像提示領域に対応する前記表示部の領域に画像を表示させる処理とを行う情報処理部、
とを有する。
【請求項２】
前記画像提示領域は、前記操作子に設けられた透明領域、半透明領域または穴あき領域により実現されることを特徴とする請求項１の携帯型電子機器。
【請求項３】
前記筐体には複数の前記操作子が設けられていることを特徴とする請求項１の携帯型電子機器。
【請求項４】
前記ユーザインタフェースユニットは、当該ユーザインタフェースユニットの識別情報を記録した情報記録部を有し、
前記情報処理ユニットは、前記情報記録部に記録された識別情報を読み取る読取手段を有し、
前記前記情報処理部は、前記読取手段により読み取られた識別情報に基づき、実行する情報処理を切り換えることを特徴とする請求項１に記載の携帯型電子機器。
【請求項５】
前記ユーザインタフェースユニットは、当該ユーザインタフェースユニットに固有の制御プログラムを記憶した情報記録部を有し、
前記情報処理ユニットは、前記情報記録部に記録された制御プログラムを読み取る読取手段を有し、
前記情報処理部は、前記読取手段により読み取られた制御プログラムに従い、前記情報処理を実行することを特徴とする請求項１に記載の携帯型電子機器。
【請求項６】
前記ユーザインタフェースユニットは、当該ユーザインタフェースユニットの識別情報を記録した情報記録部を有し、
前記情報処理ユニットは、前記情報記録部に記録された識別情報を読み取る読取手段を有し、
前記情報処理部は、通信手段を有し、前記通信手段により、前記読取手段により読み取られた識別情報に対応付けられた制御プログラムを取得し、該制御プログラムに従い、前記情報処理を実行することを特徴とする請求項１に記載の携帯型電子機器。
【請求項７】
前記情報処理部により実行される情報処理は、前記センサにより検出された前記操作子の操作に応じて、前記画像提示領域に対応する前記表示部の領域に該画像の表示態様を変化させる処理を含むことを特徴とする請求項１に記載の携帯型電子機器。
【請求項８】
前記センサは、前記操作子が接触可能な透明なタッチパネルであり、前記筐体の一面と該表示部との間に配置されることを特徴とする請求項１に記載の携帯型電子機器。
【請求項９】
前記操作子は、押しボタン、スライダ、回転式摘みの何れかであることを特徴とする請求項１に記載の携帯型電子機器。
【発明の詳細な説明】
【技術分野】
【０００１】  この発明は、ＰＤＡ（Ｐｅｒｓｏｎａｌ  Ｄｉｇｉｔａｌ  Ａｓｓｉｓｔａｎｔ）や携帯型オーディオ再生装置などの携帯型電子機器に関する。
【背景技術】
【０００２】  ＰＤＡなどの携帯型電子機器の構成部品は、操作子、表示部、タッチパネルなどのユーザインタフェースが設けられた筐体と、この筐体の内部に設けられた回路基板とに大別することができる。ここで、回路基板に搭載される部品は、例えばＰＤＡの場合、プロセッサ、ＲＡＭ、ファームウェア、表示部やタッチパネルの制御用ＩＣなどであり、どのＰＤＡであってもその種類に大差はない。従って、共通化された回路基板に搭載するファームウェアのみを変えることにより、例えばＡ仕様のＰＤＡ用の回路基板、Ｂ仕様のＰＤＡ用の回路基板、といった具合に、複数仕様の回路基板を製造し、全体としての製造コストを下げることが可能である。しかし、ユーザインタフェースの設けられた筐体は、このような共通化の難しい部分である。例えばＰＤＡに限定して考えても、ユーザの多様な嗜好に合わせるべく、押しボタンなどの操作子や表示部の配置の異なった様々な製品が提供されている。このようにユーザインタフェースの構成が製品間で異なる場合、少なくとも筐体にユーザインタフェースを搭載する製造工程は製品間で別々のものとならざるを得ない。また、回路基板についても、ユーザインタフェースとの接続を行うための配線を製品間で変える必要があるため、製品間で製造工程を共通化することが困難である。このような問題を解決する技術に関する文献として、特許文献１がある。この特許文献１は、操作パネルにおける操作子の操作を、画像表示パネル上に配置されたタッチパネルにより検出し、操作子の操作に応じた処理を行う情報処理装置を開示している。特許文献１に開示された情報処理装置によれば、操作パネルが各種取り替えられる場合においても、その操作パネルの操作をタッチパネルにより検出し、操作に応じた処理を行うことができる。
【特許文献１】特開２００１−２７３０８０号公報
【発明の開示】
【発明が解決しようとする課題】
【０００３】  ところで、多くの携帯型電子機器のユーザは、所望の操作子がどこにあるかを見つけ、これに反射的に反応し、操作したいと望んでいる。このため、多くの携帯型電子機器の押しボタンなどの操作子には、その操作子を特定する文字やマークが印刷されている。従って、特許文献１の技術を実施する場合にも、操作パネルの操作子にその操作子を特定する文字やマークを印刷しておくことが望ましい。ここで、パネル面に各種の操作子を装備した後、各操作子に文字やマークを印刷するのは困難なため、通常は、様々な文字やマークの印刷された操作子を予め製造し、これらの操作子をパネル面上における各々が配置されるべき位置に取り付けて操作パネルを構成することとなる。しかし、そのような操作パネルの製造工程は複雑であり、製造コストが嵩むという問題がある。また、ユーザの多様な嗜好性を考慮して、同一構造でありながら、操作子に表示する文字やマークの形状や色の異なった複数種類の操作パネルを提供する場合がある。このような場合、それらの操作パネルの全てを個別に製造するのは不経済である。【０００４】  本発明は、以上説明した事情に鑑みてなされたものであり、多様なユーザインタフェースと機能をユーザに提供することができ、かつ、操作子に表示される文字やマークの変更を低コストに実現することが可能な携帯型電子機器を提供することを目的としている。
【課題を解決するための手段】
【０００５】  上記目的を達成するために本願は以下の構成を有することを特徴とする。
（１）携帯型電子機器は、
ユーザインタフェースと、
情報処理ユニットとを有し、
前記ユーザインタフェースユニットは、
筐体と、
前記筐体の一面に配置され、画像提示領域を有する操作子とを有し、
前記情報処理ユニットは、
前記操作子の操作を検出するセンサと、
前記ユーザインタフェースユニットが装着された状態において、前記筐体の該一面の裏側に設けられた表示部と、
前記センサにより検出された前記操作子の操作に応じた処理と、前記画像提示領域を介して前記筐体の外部から視認できるように前記画像提示領域に対応する前記表示部の領域に画像を表示させる処理とを行う情報処理部、
とを有する。
（２）前記画像提示領域は、前記操作子に設けられた透明領域、半透明領域または穴あき領域により実現されることを特徴とする（１）の携帯型電子機器。
（３）前記筐体には複数の前記操作子が設けられていることを特徴とする（１）の携帯型電子機器。
（４）前記ユーザインタフェースユニットは、当該ユーザインタフェースユニットの識別情報を記録した情報記録部を有し、
前記情報処理ユニットは、前記情報記録部に記録された識別情報を読み取る読取手段を有し、
前記前記情報処理部は、前記読取手段により読み取られた識別情報に基づき、実行する情報処理を切り換えることを特徴とする（１）に記載の携帯型電子機器。
（５）前記ユーザインタフェースユニットは、当該ユーザインタフェースユニットに固有の制御プログラムを記憶した情報記録部を有し、
前記情報処理ユニットは、前記情報記録部に記録された制御プログラムを読み取る読取手段を有し、
前記情報処理部は、前記読取手段により読み取られた制御プログラムに従い、前記情報処理を実行することを特徴とする（１）に記載の携帯型電子機器。
（６）前記ユーザインタフェースユニットは、当該ユーザインタフェースユニットの識別情報を記録した情報記録部を有し、
前記情報処理ユニットは、前記情報記録部に記録された識別情報を読み取る読取手段を有し、
前記情報処理部は、通信手段を有し、前記通信手段により、前記読取手段により読み取られた識別情報に対応付けられた制御プログラムを取得し、該制御プログラムに従い、前記情報処理を実行することを特徴とする（１）に記載の携帯型電子機器。
（７）前記情報処理部により実行される情報処理は、前記センサにより検出された前記操作子の操作に応じて、前記画像提示領域に対応する前記表示部の領域に該画像の表示態様を変化させる処理を含むことを特徴とする（１）に記載の携帯型電子機器。
（８）前記センサは、前記操作子が接触可能な透明なタッチパネルであり、前記筐体の一面と該表示部との間に配置されることを特徴とする（１）に記載の携帯型電子機器。
（９）前記操作子は、押しボタン、スライダ、回転式摘みの何れかであることを特徴とする（１）に記載の携帯型電子機器。【０００６】  かかる発明によれば、情報処理ユニットに装着するユーザインタフェースユニットを取り替えることにより、多様なユーザインタフェースと機能を持った携帯型電子機器が実現される。その際、操作子の透明領域などに画像が表示されるので、ユーザは、この画像から個々の操作子の役割などを迅速に判断し、操作すべき操作子を選択することができる。しかも、この画像は、表示部により表示されるので、ユーザインタフェースユニットの製造時に、操作子にマークなどを印刷して筐体に取り付けるという複雑な工程は不要であり、ユーザインタフェースユニットを安価に製造することができる。
【図面の簡単な説明】
【０００７】
【図１】この発明の一実施形態である携帯型電子機器の構成を示す図である。
【図２】同実施形態におけるスライダの構成例を示す図である。
【図３】同実施形態における回転式摘みの構成例を示す図である。
【図４】（ａ）及び（ｂ）は同実施形態におけるタッチパネルの構成例を示す図である。
【図５】同実施形態においてユーザインタフェースユニットに合わせて携帯型電子機器としての機能を切り換えるための構成例を示す図である。
【図６】同実施形態においてユーザインタフェースユニットに合わせて携帯型電子機器としての機能を切り換えるための構成例を示す図である。
【図７】同実施形態においてユーザインタフェースユニットに合わせて携帯型電子機器としての機能を切り換えるための構成例を示す図である。
【図８】（ａ）〜（ｄ）は同実施形態の動作を示す図である。
【図９】同実施形態における表示部の表示例を示す。
【発明を実施するための最良の形態】
【０００８】  以下、本発明を実施するための最良の形態について図面を参照しつつ説明する。【０００９】  図１は、この発明の一実施形態である携帯型電子機器の構成を示す図である。この携帯型電子機器は、平坦な直方体形状の情報処理ユニット１０と、ユーザインタフェースユニット２０とにより構成されている。ユーザインタフェースユニット２０は、筐体２１と、この筐体２１に取り付けられた各種の操作子とを有している。ここで、筐体２１は、長方形状の天井とその周囲の４側壁からなる蓋のような構成の筐体である。そして、筐体２１は、蓋を被せるような態様で情報処理ユニット１０に装着される。筐体２１の４側壁内側における天井近傍の位置には、ストッパ２１ａが隆起している。筐体２１の装着時、このストッパ２１ａは情報処理ユニット１０の上面周縁部に載る。このため、筐体２１の天井は、情報処理ユニット１０の上面と所定距離だけ離間した状態を保つ。操作子は、この筐体２１の天井に配備されている。図１に示す例では、この操作子として複数の押しボタン２２ａが筐体２１に配備されている。これらの押しボタン２２ａは、ユーザの指が触れる押圧部に画像提示領域があり、ユーザは、この画像提示領域を介して情報処理ユニット１０の上面を見ることができる。画像提示領域は透明領域、半透明領域または穴あき領域とすることで実現される。【００１０】  図１に示すように、情報処理ユニット１０は、その上面全面を覆うように形成された透明なタッチパネル１１と、このタッチパネル１１の裏側に表示面を対向させた表示部１２と、情報処理部１３とを有している。タッチパネル１１は、ユーザインタフェースユニット２０の筐体２１に配備された操作子の操作を検出するためのセンサとして機能する。図１に示す例において、いずれかの押しボタン２２ａが押下されると、筐体２１の裏面側に突き出た押しボタン２２ａの下部がタッチパネル１１に接触し、タッチパネル１１から接触位置を示す信号が出力される。情報処理部１３は、このタッチパネル１１の出力信号に基づき、押しボタンの押下がなされたことを検知するとともに押下された押しボタンを判断する。【００１１】  情報処理部１３は、このようにタッチパネル１１の出力信号に基づき、ユーザインタフェースユニット２０に設けられた操作子の操作を検知し、それに応じて各種の情報処理を行う装置である。この情報処理部１３は、プロセッサと、不揮発性メモリなどを有している。本実施形態では、様々な機能の複数種類の携帯型電子機器を構成するための複数種類のユーザインタフェースユニット２０が用意されており、これらはいずれも、情報処理ユニット１０に装着して使用することができる。情報処理部１３は、ある携帯型電子機器に対応したユーザインタフェースユニット２０が情報処理ユニット１０に装着された場合に、ユーザインタフェースユニット２０および情報処理ユニット１０からなる装置全体をその携帯型電子機器として機能させるための情報処理を行う。【００１２】  本実施形態では、押しボタン以外にスライダ、回転式摘みといった各種の操作子を持ったユーザインタフェースユニット２０が情報処理ユニット１０に装着され得る。本実施形態では、これらの各種の操作子の操作��タッチパネル１１により検知する。このことを可能にするため、本実施形態では、ユーザインタフェースユニット２０に配備するスライダおよび回転式摘みの構成に改良を施している。【００１３】  図２は、本実施形態におけるスライダ２２ｂの構成例を示す断面図である。この例では、スライダ２２ｂは、筐体２１の天井面に空けられたスライド溝に取り付けられており、紙面に対して垂直な方向にスライド操作される。スライダ２２ｂにおいて筐体２１の内側に突き出た部分は軸受け２２ｂ−１となっており、これによりローラ２２ｂ−２がタッチパネル１１の表面に当接した状態で回転自在に支持されている。このような構成において、スライダ２２ｂが紙面垂直方向にスライド操作されると、これに合わせてローラ２２ｂ−２は、回転しながら移動する。このようにスライダ２２ｂのスライド操作に連動して可動部たるローラ２２ｂ−２のタッチパネル１１における接触位置が変化するため、情報処理部１３は、タッチパネル１１の出力信号に基づき、スライダ２２ｂの現在位置を検知することができる。【００１４】  図３は、本実施形態における回転式摘み２２ｃの構成例を示す断面図である。この回転式摘み２２ｃの回転軸２２ｃ−１の回転運動は、ギア２２ｃ−２および平歯車２２ｃ−３を組み合わせたラック＆ピニオン機構により並進運動に変換される。平歯車２２ｃ−３の下部には、ローラ２２ｃ−４がタッチパネル１１に当接した状態で回転自在に支持されている。このような構成において、回転式摘み２２ｃの回転操作に連動して、可動部たるローラ２２ｃ−４のタッチパネル１１における接触位置が変化するため、情報処理部１３は、タッチパネル１１の出力信号に基づき、回転式摘み２２ｃの回転角度を検知することができる。【００１５】  通常の圧力センサを用いたタッチパネルは、同時に検知することができる接触位置は１箇所である。そして、押しボタンは、一般的に１個ずつ押圧操作される操作子である。また、本実施形態において、押しボタン２２ａの下部は、押しボタン２２ａが押圧操作されたときのみタッチパネル１１と接触する。従って、情報処理部１３は、押しボタン２２ａがユーザインタフェースユニット２０に複数設けられている場合においても、各押しボタン２２ａの位置が分かっていれば、タッチパネル１１からの出力信号に基づき、押圧操作された押しボタン２２ａを適切に検知することができる。一方、本実施形態においてスライダや回転式摘みは、各々可動部をタッチパネルに常時接触させた状態で操作される。従って、情報処理部１３は、ユーザインタフェースユニット２０に１個のスライダまたは回転式摘みのみが設けられている場合にはタッチパネル１１からの出力信号に基づいてスライダまたは回転式摘みの操作状態を検知することができるが、スライダまたは回転式摘みに加えて、さらに他の操作子がユーザインタフェースユニット２０に設けられていると、もはや各操作子の操作状態を検知することはできない。【００１６】  この問題に対処するため、好ましい態様では、情報処理ユニット１０におけるタッチパネル１１は、各々独立して接触位置の検出が可能な複数のタッチパネルにより構成される。この態様によれば、複数のタッチパネルのうちの必要な個数のタッチパネルを、スライダや回転式摘みなどの操作状態を検出するためのセンサとして用いることが可能となる。ここで、ユーザインタフェースユニット２０は、操作子の種類、個数、レイアウトの異なった様々な構成のものが提供され得るが、それらの多くの種類のユーザインタフェースユニットも、スライダや回転式摘みがどの辺りに何個あるかにより、何種類かに類型化することが可能である。そこで、好ましい態様では、このような何種類かのユーザインタフェースユニット２０の類型に合わせて、各々構成の異なるタッチパネル１１を有する複数種類の情報処理ユニット１０が提供される。ユーザは、ある情報処理ユニット１０を入手した場合、これと適合する類型の複数種類のユーザインタフェースユニット２０の中から所望の機能に対応したものを選択して入手し、使用することが可能である。【００１７】  図４Ａは、ある類型のユーザインタフェースユニット２０に対応した情報処理ユニット１０のタッチパネル１１の構成を示しており、図４Ｂはこれとは別の類型のユーザインタフェースユニット２０に対応した情報処理ユニット１０のタッチパネル１１の構成を示している。図４Ａに示すタッチパネル１１は、横方向に並べられた３枚のタッチパネル１１ａ、１１ｂおよび１１ｃにより構成されている。図４Ｂに示す例では、タッチパネル１１が、略正方形のタッチパネル１１ｄとその下側において横方向に並んだ４本の細長いタッチパネル１１ｅ、１１ｆ、１１ｇおよび１１ｈとにより構成されている。これらの例において、各タッチパネル１１ａ〜１１ｈは、各々独立して接触位置の検出が可能である。図４Ａに示す例では、タッチパネル１１ａの面積が最も広く、図４Ｂに示す例では、タッチパネル１１ｄの面積が最も広い。これらのタッチパネルは、複数の押しボタンの操作を検知するために用いられることが想定されている。本実施形態において、スライダや回転式摘みの可動部は、直線軌道上を移動する。従って、スライダや回転式摘みの可動部の操作を検知するためのタッチパネルは、可動部の直線軌道を包含し得るストライプ形状であることが望ましい。図４Ａにおけるタッチパネル１１ｂおよび１１ｃ、図４Ｂにおけるタッチパネル１１ｅ〜１１ｈは、各々ストライプ形状をなしており、スライダや回転式摘みの操作を検知するために使用されることが想定されている。【００１８】  図１において、表示部１２は、液晶表示パネルにより構成されている。この表示部１２および上述したタッチパネル１１は、筐体２１の上面裏側のほぼ全域と対向する広さを持っている。従って、この表示部１２は、筐体２１の上面の如何なる箇所に表示窓が設けられていても、その表示窓を介して画像を表示することができる。【００１９】  既に述べたように本実施形態では、情報処理部１３は、ある携帯型電子機器に対応したユーザインタフェースユニット２０が情報処理ユニット１０に装着された場合に、ユーザインタフェースユニット２０および情報処理ユニット１０からなる装置全体をその携帯型電子機器として機能させるための情報処理を行う。このように装着されるユーザインタフェースユニット２０に合わせて携帯型電子機器としての機能を切り換えるために、本実施形態では、ユーザインタフェースユニット２０の装着を契機として、情報処理部１３の実行対象である制御プログラムを確定させる初期化処理が実行されるようにしている。【００２０】  図５〜図７は、このような初期化処理の実行を可能にするための本実施形態の構成例を各々示している。図５に示す構成例では、ユーザインタフェースユニット２０における筐体２１の天井面に情報記録部２６が設けられており、この情報記録部２６には、ユーザインタフェースユニット２０を特定するＩＤが記録されている。情報記録部２６は、例えばＩＤを示すバーコードや着磁パターンを筐体２１の天井面に形成したものであってもよいし、ＩＤを記憶した非接触ＩＣタグのような記録媒体であってもよい。情報処理ユニット１０は、ユーザインタフェースユニット２０が装着された状態において情報記録部２６からＩＤを読み取る読取部１４を有している。また、情報処理ユニット１０における情報処理部１３は、不揮発性メモリ１３１と、プロセッサなどにより構成された実行制御部１３２とを有している。ここで、不揮発性メモリ１３１は、各種のユーザインタフェースユニットに対応した制御プログラム（すなわち、各種の携帯型電子機器に対応した制御プログラム）を記憶している。実行制御部１３２は、初期化のための条件が満たされたとき、初期化処理を実行する。好ましい態様では、ユーザインタフェースユニット２０が情報処理ユニット１０に装着され、かつ、情報処理ユニット１０の電源がオン状態であることが初期化のための条件となる。この態様において、ユーザインタフェースユニット２０が情報処理ユニット１０に装着されたことを検出するために、例えば情報処理ユニット１０の上面の周縁部に、ストッパ２１ａとの接触を検知するセンサを設けてもよい。初期化処理において、実行制御部１３２は、読取部１４によって情報記録部２６からＩＤを読み取り、不揮発性メモリ１３１に記憶された各制御プログラムのうちこのＩＤにより特定されたユーザインタフェースユニットに対応したものを以後の実行対象として選択する。【００２１】  図６に示す構成例において、ユーザインタフェースユニット２０における情報記録部２６は、ＲＯＭなど、比較的大きな容量を有する不揮発性メモリにより構成されており、そのユーザインタフェースユニット２０に対応した制御プログラムを記憶している。情報処理ユニット１０における実行制御部１３２は、図５に示す構成例と同様、初期化のための条件が満たされたとき、読取部１４によって情報記録部２６から制御プログラムを読み取り、以後の実行対象として不揮発性メモリ１３１に格納する。【００２２】  図７に示す構成例では、ユーザインタフェースユニット２０における情報記録部２６には、ユーザインタフェースユニット２０を特定するＩＤが記録されている。一方、情報処理ユニット１０における情報処理部１３には、無線通信機能を有し、インターネットなどのネットワーク内のサーバとの間で通信を行う通信部が設けられている。情報処理ユニット１０における実行制御部１３２は、図５に示す構成例と同様、初期化のための条件が満たされたとき、読取部１４によって情報記録部２６からＩＤを読み取る。そして、実行制御部１３２は、通信部１３３によりネットワーク内の所定のサーバにアクセスし、同サーバが記憶している各種の制御プログラムの中から、読み取ったＩＤにより特定されるユーザインタフェースユニットに対応した制御プログラムを検索し、この検索により得られた制御プログラムをダウンロードし、以後の実行対象として不揮発性メモリ１３１に格納する。【００２３】  ところで、図５〜図７に示す構成例において、ユーザインタフェースユニット２０が他のものに交換されたときには初期化処理の実行が必要であるが、同じユーザインタフェースユニット２０が情報処理ユニット１０から取り外され、その後、再び情報処理ユニット１０に装着されたような場合には初期化処理の実行は不要である。そこで、無駄な初期化処理の実行を回避するために、次のようにしてもよい。例えば図５または図７に示す構成例では、現在実行対象となっている制御プログラムが対応しているユーザインタフェースユニット２０のＩＤを不揮発性メモリ１３１に記憶しておく。そして、実行制御部１３２は、ユーザインタフェースユニット２０が情報処理ユニット１０に装着され、その情報記録部２６に記録されたＩＤが読取部１４により読み取られたとき、このＩＤと不揮発性メモリ１３１に記憶されたＩＤとを比較し、両者が不一致である場合に限り、初期化処理を実行するのである。また、図６に示す構成例では、ユーザインタフェースユニット２０が情報処理ユニット１０に装着されたとき、実行制御部１３２は、情報記録部２６に記録された制御プログラムと不揮発性メモリ１３１に記憶されている制御プログラムとを比較し、両者が不一致である場合に限り、情報記録部２６に記録された制御プログラムを不揮発性メモリ１３１に格納するように構成してもよい。以上のように構成することにより、無駄な初期化処理の実行が回避される。【００２４】  本実施形態において、筐体２１に設けられている表示窓の占有位置、操作子の数、個々の操作子の種類、配置、役割はユーザインタフェースユニット毎に異なる。そこで、本実施形態では、各ユーザインタフェースユニットに対応した制御プログラムを次のように構成している。
＜ａ．操作子の操作に応じた処理を行うための構成＞
１つのユーザインタフェースユニットに対応した制御プログラムは、ユーザインタフェースユニットに設けられた各操作子について、押しボタン／スライダ／回転式摘み等のその操作子の種別、タッチパネル１１における操作子の接触位置に関する情報（押しボタンの場合はタッチパネル１１における押しボタンの裏側部分の接触位置、スライダの場合は可動部たるローラ２２ｂ−２の接触位置の軌道、回転式摘みの場合は可動部たるローラ２２ｃ−４の接触位置の軌道）、操作子の状態の検出結果の用途（例えば検出結果を引き渡すべきルーチン）を定義したテーブルを含む。この制御プログラムでは、このテーブルを参照することにより、タッチパネルの出力信号を特定の操作子の操作状態を示す信号に変換し、その変換結果に応じた処理を行う。
＜ｂ．表示制御のための構成＞
まず、１つのユーザインタフェースユニットに対応した制御プログラムは、そのユーザインタフェースユニット２０における表示窓２４の占有位置に関する定義情報を含んでおり、この定義情報により定まる表示部１２の表示領域に各種の案内情報などユーザが必要とする情報を表示する。また、１つのユーザインタフェースユニット２０に対応した制御プログラムは、押しボタンなどのように、ユーザインタフェースユニット２０における位置が固定されており、かつ、操作される部分に画像提示領域を有する操作子について、表示部１２における画像提示領域に対向している表示領域に、その操作子のために予め用意された画像を表示するためのルーチンを含む。好ましい態様において、この画像は、例えばその操作子の役割などを直観的に示すものである。【００２５】  以下、具体例を挙げて、本実施形態の動作を説明する。なお、この動作例では、図４Ｂに示す構成のタッチパネル１１を有する情報処理ユニット１０が用いられる。まず、本実施形態に係る携帯型電子機器を構成して使用することを望むユーザは、図８Ａに示す情報処理ユニット１０を入手するとともに、所望の携帯型電子機器に対応したユーザインタフェースユニット２０を入手する。図８Ｂに示すユーザインタフェースユニット２０は、携帯型電子機器を携帯音楽プレーヤとして働かせるユーザインタフェースユニットであり、筐体２１には表示窓２４が空けられており、操作子として、４個の押しボタン２２ａと、２個のスライダ２２ｂと、回転式摘み２２ｃが設けられている。本実施形態において、表示窓２４は画像提示領域の穴あき領域を構成し、押しボタン２２ａは半透明部材で形成されることで画像提示領域の半透明領域を構成し、スライダ２２ｂと回転式摘み２２ｃは透明部材で形成されることで画像提示領域の透明領域を構成する。本実施形態においてユーザに提供される全ての種類のユーザインタフェースユニット２０は、一切の能動素子を含んでおらず、電源の供給は不要である。また、筐体と操作子とを組み合わせたものであるため、安価である。従って、操作子が摩耗してユーザインタフェースユニットの取り替えが必要になった場合においても、ユーザの経済的負担は僅かである。そして、ユーザは、この入手したユーザインタフェースユニット２０を情報処理ユニット１０に装着する。このようにして本実施形態に係る携帯型電子機器が完成する。【００２６】  図８Ｃは、この段階における携帯型電子機器の外観を例示している。この例では、４個の押しボタン２２ａの下部は、図４Ｂにおけるタッチパネル１１ｄと対向している。また、２個のスライダ２２ｂの各々の可動部は、図４Ｂにおけるタッチパネル１１ｅおよび１１ｈに、回転式摘み２２ｃの可動部は、図４Ｂにおけるタッチパネル１１ｆと接触しており、各々の接触位置は、スライダまたは回転式摘みの操作に連動して上下方向に移動する。図８Ｃに示す段階では、情報処理ユニット１０の電源がオフであるため、表示窓２４から露出した表示部１２には何も表示されていない。また、４個の押しボタン２２ａの押圧部には何も表示されていない。【００２７】  ユーザが情報処理ユニット１０の電源をオンにすると、情報処理ユニット１０における情報処理部１３は、上述した初期化処理を実行し、情報処理ユニット１０に装着されているユーザインタフェースユニット２０に対応した制御プログラムを実行対象とし、その実行を開始する。この結果、ユーザインタフェースユニット２０および情報処理ユニット１０からなる携帯型電子機器の外観は図８Ｄに示す状態となる。この例では、情報処理部１３によって実行される制御プログラムは、表示窓２４越しにユーザに対する案内画面を表示するルーチンを含んでいるため、そのルーチンに従って案内画面の表示が行われている。また、この例において、同制御プログラムは、４個の押しボタン２２ａの押圧部越しに各押しボタンの役割を示す画像を表示するルーチンを含んでいる。このルーチンが実行される結果、図８Ｄに示すように、最も左側の押しボタン２２ａの押圧部には早戻しを示すマークが、左から２番目の押しボタン２２ａの押圧部には再生を示すマークが、左から３番目の押しボタン２２ａの押圧部には一時停止を示すマークが、最も右側の押しボタン２２ａの押圧部には早送りを示すマークが表示される。【００２８】  その後、情報処理部１３は、制御プログラムに従い、次のような処理を実行する。
＜＜押しボタンの操作に対応した処理＞＞
この処理は、タッチパネル１１ｄに対するタッチ操作が検出されたときに実行される。この処理では、接触位置を示す信号がタッチパネル１１ａから得られると、テーブルに定義された４個の押しボタン２２ａのレイアウトに関する情報を参照し、接触位置に配置されている押しボタンを特定する。そして、この押しボタンの押圧操作に対応したルーチンを起動する。例えば、タッチパネル１１ａの出力信号に基づいて特定される押しボタンが図８Ｄにおける最も左側の押しボタン２２ａであった場合、情報処理部１３は、早戻しの処理を行うルーチンを起動するのである。
＜＜スライダおよび回転式摘みの操作に対応した処理＞＞
図８Ｄに示す例の場合、情報処理部１３は、左側のスライダ２２ｂの操作に対応した処理、右側のスライダ２２ｂの操作に対応した処理、回転式摘み２２ｃの操作に対応した処理を、各々一定の時間間隔で繰り返し実行する。例えば左側のスライダ２２ｂの操作に対応した処理では、スライダ２２ｂの可動部たるローラ２２ｂ−２の軌道に関する情報と、タッチパネル１１ｅから得られるローラ２２ｂ−２の接触位置を示す信号とに基づき、スライダ２２ｂの軌道上における相対位置を示す情報を生成し、この情報を利用するルーチンに引き渡す。もう１つのスライダ２２ｂおよび回転式摘み２２ｃの操作に対応した各処理も同様である。この例においては、情報処理ユニットにおいてスライダの軌道上における相対位置を示す情報を所得し、スライダの画像提示領域の制御を行う。具体的にはスライダ位置の上下で異なる表示態様にする（図９参照）。例えば、異なるハッチングを用いたり、色彩を変化させたり、明暗を変えたりすることで異なる表示様態を実現できる。これにより、スライダがどこに位置しているかを容易に確認することができる。尚、回転式摘みにおいても同様の表示制御を行うことができる。【００２９】  尚、表示窓２４は穴あき領域であり、この領域に対応するタッチパネルの領域は露出しているので、ユーザは直接タッチパネルを操作することができる。【００３０】  以上説明した実施形態によれば、情報処理ユニット１０における情報処理部１３は、タッチパネル１１により検出されたユーザインタフェースユニット２０の操作子の状態に応じた情報処理を行うので、情報処理ユニット１０に装着するユーザインタフェースユニット２０を取り替えることにより、各種の情報処理を情報処理ユニット１０に行わせることができる。その際、操作子の少なくとも一部は、操作される部分に画像提示領域があり、そこには各操作子の役割などを示すマークなどが表示されるため、ユーザは、その表示に反応して、操作すべき操作子を迅速に判断することができる。しかも、この各操作子の役割などを示すマークは、ユーザインタフェースユニット２０が情報処理ユニット１０に装着されて使用される際に、情報処理ユニット１０の表示部１２により表示されるものである。従って、ユーザインタフェースユニット２０の製造の際、各操作子にマークなどを印刷して筐体に取り付けるという複雑な工程は不要であり、ユーザインタフェースユニット２０を安価に製造することができる。【００３１】  以上、本発明の実施の形態について説明したが、本発明には他の実施形態が考えられる。例えば次の通りである。
（１）ユーザの多様な嗜好性を考慮して、同一構造でありながら、操作子に表示するマークなどの形状や色のみが異なった複数種類のユーザインタフェースユニット２０を提供してもよい。例えば、図５に示す構成により、ユーザインタフェースユニット２０に合わせて携帯型電子機器としての機能を切り換える場合には、次のような態様が考えられる。まず、個々のユーザインタフェースユニット２０は、同一構造であり、かつ、同一機能を携帯型電子機器を構成するものであっても、各々の情報記録部２６には異なるＩＤを記録しておく。また、各ユーザインタフェースユニット２０に対応した制御プログラムとして、マークの表示態様の異なった複数種類のものを情報処理部１３の不揮発性メモリ１３１に格納しておく。この態様によれば、ユーザは、同一機能の携帯型電子機器を構成可能な複数種類のユーザインタフェースユニット２０の中からマークなどの表示態様が自分の好みに合っているものを選択して情報処理ユニット１０に装着すればよい。これにより、そのユーザインタフェースユニット２０に対応した制御プログラムが実行対象とされ、ユーザの好みに合った態様でマークなどが表示される。
（２）ユーザインタフェースユニット２０に設けられた各押しボタン２２ａの押圧部に表示されるマークを、ユーザが自分の好みに合わせて設定することができるように構成してもよい。例えば、情報処理部１３に与える制御プログラムにおいて、押しボタン２２ａに割り当て可能なマークの画像データを押しボタン毎に複数種類ずつ定義しておく。また、制御プログラムは、ある押しボタン２２ａが押圧されていない状態から押圧されている状態となり、この押圧されている状態が一定時間を越えた場合に、その押しボタン２２ａの押圧部にマークを表示するために使用する画像データを現在のものから他の画像データに切り換える処理を情報処理部１３に実行させる。この態様において、ユーザは、ある押しボタン２２ａに表示されるマークが気に入らない場合、その押しボタン２２ａを一定時間以上を押圧した後、指を離して、新たに表示されているマークを確認し、そのマークも気に入らない場合には再度その押しボタン２２ａを一定時間以上を押圧した後、指を離して、新たに表示されているマークを確認し、という具合に、自分の気に入ったマークが表示されるまで押しボタン２２ａの押圧操作を繰り返せばよい。
（３）ユーザインタフェースユニット２０に設けられた各押しボタン２２ａの押圧部に表示されるマークを、ユーザの操作に応じて変化させるようにしてもよい。例えば、ユーザが何も操作していないときは、青色のマークが各押しボタン２２ａに表示されているが、ユーザがある押しボタン２２ａ（例えば早送りボタン）を押し、その押しボタン操作に応じた処理（例えば早送り処理）が行われている間は、その押しボタン２２ａに表示されているマークの色を赤色にする、といった態様が考えられる。
（４）上記実施形態では、ユーザインタフェースユニット２０における各操作子の操作をタッチパネル１１により検出した。しかし、このような接触式のセンサではなく、非接触式のセンサにより各操作子の操作を検出する構成としてもよい。例えば、図１において、タッチパネルの代わりに、イメージセンサを情報処理ユニット１０の上面の四隅のいずれかに複数個配置し、これらのイメージセンサにより筐体２１の裏面を斜め下方から撮影し、各イメージセンサにより撮影された画像からユーザインタフェースユニット２０に設けられた各操作子の操作状態を検知するようにしてもよい。また、ユーザインタフェースユニット２０に設ける操作子の可動部に永久磁石を取り付けるとともに、情報処理ユニット１０には複数の磁気センサを設けて、各磁気センサによって検出される磁界強度に基づき、各操作子の可動部の位置を求め、各操作子の操作状態を検知するようにしてもよい。
【図１】
2006077686.tif 000002
【図２】
2006077686.tif 000003
【図３】
2006077686.tif 000004
【図４】
2006077686.tif 000005
【図５】
2006077686.tif 000006
【図６】
2006077686.tif 000007
【図７】
2006077686.tif 000008
【図８】
2006077686.tif 000009
【図９】
2006077686.tif 000010
【国際調査報告】
2006077686.tif 000011
2006077686.tif 000012